(57)【特許請求の範囲】
【請求項１】
底部と略垂直に立ち上がった側壁からなる樹脂性排水ますであって、
前記側壁は、一対の本管流入口及び流出口と、前記流入口及び流出口より高い位置に枝管流入口を備えているか、若しくは前記枝管流入口を設置可能な壁面を有しており、
前記底部は、前記側壁へ近接して配置された主インバート溝と、前記主インバート溝の全部又は一部から連続して立ち上がった第１の傾斜面と、前記第１の傾斜面から前記枝管流入口へ向けて連続した第１の傾斜面より小さな傾斜角を有する第２の傾斜面とを含む副インバートを備えており、そして
前記枝管流入口は、主インバート溝内の排水の流れ方向に対して下流側から上流側に向かって１８０°の範囲内に複数配置可能な前記樹脂製排水ます。
【請求項２】
排水ますの側壁へ近接して配置された主インバート溝と、前記主インバート溝の全部又は一部から枝管流入口へ向けて連続して立ち上がった傾斜面を備え、前記傾斜面は排水ます中央部又は主インバート溝接続部近傍に前記傾斜面より勾配の大きな急斜面を含んでいる副インバートとからなる底部と、そして
一対の本管流入口及び流出口と、前記流入口及び流出口より高い位置に枝管流入口を備えているか、若しくは前記枝管流入口を設置可能な壁面を有する略垂直に立ち上がった側壁とを備えている樹脂製排水ますであって、
前記枝管流入口は、主インバート溝内の排水の流れ方向に対して下流側から上流側に向かって１８０°の範囲内に複数配置可能な前記樹脂製排水ます。
【請求項３】
前記枝管流入口の少なくとも１つは、その取り付け角度が前記主インバート溝内の排水の流れ方向に対して下流側から上流側に向かって９０°若しくは鋭角範囲内に配置されている請求項１又は２に記載の樹脂製排水ます。
【請求項４】
前記枝管流入口は、前記側壁から放射状に配置されている請求項１又は２に記載の樹脂製排水ます。
【請求項５】
前記枝管流入口の少なくとも１つは、その取り付け角度が前記主インバート溝内の排水の流れ方向に対して平行に取り付けられている請求項１又は２に記載の樹脂製排水ます。
【請求項６】
前記枝管流入口の少なくとも１つは、その外部接続端に角度調節可能な回転エルボがさらに取り付けられている請求項１又は２に記載の樹脂製排水ます。
【請求項７】
前記枝管流入口は、前記枝管流入口設置可能な壁面に穴開け手段を用いて開口し後付けされたナット締め付け型支管である請求項１又は２に記載の樹脂製排水ます。
【請求項８】
前記第１の傾斜面は、お椀形状又はすり鉢形状をしている請求項１に記載の樹脂製排水ます。
【請求項９】
前記第２の傾斜面は、すり鉢形状又はお椀形状をしている請求項１に記載の樹脂製排水ます。
【発明の詳細な説明】
【技術分野】
【０００１】
本発明は、複数の枝管流入口が設置された又は設置することが可能な合成樹脂製排水ますであって、特に、枝管流入口の取り付け角度が本管と接続される主インバート溝内の排水の流れ方向に対して下流側から上流側に向かって９０°若しくは鋭角範囲内に配置することができる複数流入合成樹脂製排水ますに関する。
【背景技術】
【０００２】
周知のように、宅地内又は宅地外排水設備において本管流路と枝管流路を合流させるために、排水ますが使用される。このとき、本管からの流れに対して枝管からの流れがスムーズに合流できるように、様々な考案がなされている。
【０００３】
例えば、実開昭５８−１６５０８１号公報及び実開昭５９−５１８７７号公報の中では、主インバート溝へ副インバート溝が合流する部分に段差や急激な勾配を設けることや、主インバート溝及び副インバート溝の断面形状を下方に幅狭にさせた半卵形状にすること、さらには、主インバート溝に対する副インバート溝の合流角度を工夫することなどが開示されている。
【０００４】
しかしながら、上記排水ますは、いずれも本管流路と連通する主インバート溝を排水ます中央部に配置するものであるため、枝管流入口から主インバート溝までの流路長を十分に確保することができず、その結果、流れ込む排水の急激な流れにより飛散したり、合流点を越えて他方の副インバートへ乗り上げて汚物を付着させたりする。
【０００５】
なお、ここでいうところのインバート（溝）とは、接続される外部排水管の内径に応じて排水ますの底部に設けられる略半円形の断面を有する溝、または排水ますの底面を意味し、いわば、外部排水管の一部となって、本管及び各枝管からの排水の流入をとりまとめて本管下流側へ誘導するために機能するものである。
【０００６】
一方、主インバート溝を排水ますの側壁に近接して配置し、本管からの流れに対して枝管からの流れがスムーズに合流できるようにした例としては、実開昭６１−８９０８６号公報の中に開示された排水ますが挙げられる。
【０００７】
しかしながら、この排水ますでは、主インバート溝に合流させる枝管流入口を排水ますの片側半分の側壁に集中して配置しなければならなず、前記の排水ますのように枝管流入口を排水ますの両側側壁に多数設置することができない。
【０００８】
また、従来の排水ますに共通する課題としては、枝管流入口又はそれに連通する副インバート溝を主インバート溝内の排水の流れ方向に対して逆流方向へ、すなわち、主インバート溝内の排水の流れ方向に対して下流側から上流側に向かって９０°又は鋭角範囲内に配置すると、本管からの流れに対して枝管からの流れが激しく衝突したり逆流したりするため、排水ます本体の側壁の下流側約半分には、実質的に枝管を取り付けることができないデッドスペースを生じていた。
【０００９】
このため、従来の排水ますにおいて複数の枝管を合流させようとする場合は、複数の排水ますを準備して対応しなければならず、不経済であった。
【００１０】
さらに、このような従来の排水ますでは、排水の流れをスムーズにする目的で主インバート溝に勾配を設けたり、枝管流入口を排水ます本体に対して非対称に配置したりするため、一般的には、排水ますの使用に際して上流側と下流側に区別がある場合が多い。このため、発注などで排水ますの選択を誤ると工事が中断してしまうなどの不都合があった。
【特許文献１】実開昭５８−１６５０８１号公報
【特許文献２】実開昭５９−５１８７７号公報
【特許文献３】実開昭６１−８９０８６号公報
【発明の開示】
【発明が解決しようとする課題】
【００１１】
そこで、本発明は、枝管流入口を主インバート溝内の排水の流れ方向に対して逆流方向へ、すなわち、従来は事実上使用不可とされていた主インバート溝内の排水の流れ方向に対して下流側から上流側に向かって鋭角範囲を含む１８０°の範囲内に複数の枝管流入口を配置可能な樹脂製排水ますを提供することを目的とする。
【００１２】
換言すれば、本発明は、排水ますの上流側及び下流側を区別することなく任意の水平方向へ複数の枝管流入口を配置することができ、それでいて、枝管からの流れを本インバート溝を流れる排水へスムーズに合流させることが可能な樹脂製排水ますを提供することを目的とする。
【課題を解決するための手段】
【００１３】
そこで、上記目的を達成するため、請求項１に係る発明では、底部と略垂直に立ち上がった側壁からなる樹脂性排水ますにおいて、側壁には一対の本管流入口及び流出口と、前記流入口及び流出口より高い位置に枝管流入口を設けるか、若しくは前記枝管流入口を設置可能な壁面を設け、そして底部には側壁へ近接して配置された主インバート溝と、前記主インバート溝の全部又は一部から連続して立ち上がった第１の傾斜面と、前記第１の傾斜面から前記枝管流入口へ向けて連続した第１の傾斜面より小さな傾斜角を有する第２の傾斜面とを含む副インバートを設けることで、枝管流入口が主インバート溝内の排水の流れ方向に対して下流側から上流側に向かって１８０°の範囲内に複数個配置可能にした。
【００１４】
この結果、請求項１に記載の発明によれば、各枝管流入口から主インバート溝に合流するまでの流路長を十分に確保することができるため、枝管流入口から流入した排水は副インバートの第２の傾斜面上で、排水ますの略中央部に配置された第１の傾斜面へ向けてその流れを効率よく集合化される。そして、第１の傾斜面には第２の傾斜面より大きな傾斜角を設けているため、第２の傾斜面から流れ込んだ排水は、第１の傾斜面で流下してその平面的な流れの方向性を失った後、第１の傾斜面の形状に沿って再びその流れの方向が整えられ、主インバート溝内の排水の流れと略直角、あるいはそれ以下の緩やかな角度でスムーズに合流される。
【００１５】
このとき、枝管流入口から流入した排水は、どのような方向から流入した場合であっても第１及び第２の傾斜面に沿って集合化及び整流されながら流れるため、不規則な流れや急激な流れを生じることにより、乱流を起こしたり飛散したりすることがない。また、第１の傾斜面では、排水のスムーズな流れを維持しながら、枝管流入口から流れ込む排水を主インバート溝内の排水の流れと合流する前に集合させて整流しているため、主インバート溝内の排水と合流する際にその流れを阻害することが殆どない。
【００１６】
さらに、主インバート溝は排水ます本体の側壁へ近接して設けられており、かつ、これから連続して立ち上がる第１の傾斜面は、第２の傾斜面より大きな傾斜角をもって適度な勾配を有するように形成されているため、枝管流入口から流れ込んだ排水が主インバート溝との合流点を越えて排水ます本体の反対側の側壁へ乗り上げたり、あるいは側壁から跳ね返って第１の傾斜面上に乗り上げたりすることが殆どない。
【００１７】
また、第１の傾斜面は流れ込んだ排水の速度を増加させるため、たとえ排水が跳ね返って第１の傾斜面に乗り上げたとしても、第１の傾斜面に付着した汚物を洗い流して異臭を発生させることを防止する。
【００１８】
以上の結果、請求項１に記載の発明によれば、枝管流入口を主インバート溝内の排水の流れ方向に対して逆流方向へ、すなわち、主インバート溝内の排水の流れ方向に対して下流側から上流側に向かって鋭角範囲を含む１８０°の範囲内に複数の枝管流入口を配置することが可能となり、それでいて、枝管からの流れを主インバート溝を流れる排水へスムーズに合流させることができる。
【００１９】
また、本発明によれば、排水ますの側壁に任意の水平方向へ向けて複数の枝管流入口を配置することができるため、枝管の数がある程度増えた場合であっても１つの排水ますで対応することが可能となる。さらに、主インバート溝は上部から見て排水ます側壁に隠れることがないので、排水ますの清掃や点検が極めて容易となる。
【００２０】
請求項２に係る発明では、排水ますの側壁へ近接して配置された主インバート溝と、前記主インバート溝の全部又は一部から枝管流入口へ向けて連続して立ち上がった傾斜面を備え、前記傾斜面は排水ます中央部又は主インバート溝接続部近傍に前記傾斜面より勾配の大きな急斜面を含んでいる副インバートとからなる底部と、そして一対の本管流入口及び流出口と、前記流入口及び流出口より高い位置に枝管流入口を備えているか、若しくは前記枝管流入口を設置可能な壁面を有する略垂直に立ち上がった側壁とを備えている樹脂製排水ますであって、前記枝管流入口は、主インバート溝内の排水の流れ方向に対して下流側から上流側に向かって１８０°の範囲内に複数個配置可能にした。
【００２１】
この結果、請求項２に記載の発明によれば、各枝管流入口から主インバート溝に合流するまでの流路長を十分に確保することができるため、枝管流入口から流入した排水は副インバートの緩斜面（または傾斜面）上で、排水ますの略中央部に配置された急斜面へ向けてその流れを効率よく集合化される。そして、緩斜面から流れ込んだ排水は、急斜面で流下してその平面的な流れの方向性を失った後、急斜面の形状に沿って再びその流れの方向が整えられ、主インバート溝内の排水の流れと略直角、あるいはそれ以下の緩やかな角度でスムーズに合流される。
【００２２】
このとき、枝管流入口から流入した排水は、どのような方向から流入した場合であっても緩斜面及び急斜面に沿って集合化及び整流されながら流れるため、不規則な流れや急激な流れを生じることにより、乱流を起こしたり飛散したりすることがない。また、急斜面では、排水のスムーズな流れを維持しながら、枝管流入口から流れ込む排水を主インバート溝内の排水の流れと合流する前に集合させて整流しているため、主インバート溝内の排水と合流する際にその流れを阻害することが殆どない。
【００２３】
さらに、主インバート溝は排水ます本体の側壁へ近接して設けられており、かつ、これから連続して立ち上がる急斜面は、緩斜面より大きな傾斜角をもって適度な勾配を有するように形成されているため、枝管流入口から流れ込んだ排水が主インバート溝との合流点を越えて排水ます本体の反対側の側壁へ乗り上げたり、あるいは側壁から跳ね返って急斜面上に乗り上げたりすることが殆どない。
【００２４】
また、急斜面は流れ込んだ排水の速度を増加させるため、たとえ排水が跳ね返って急斜面に乗り上げたとしても、急斜面に付着した汚物を洗い流して異臭を発生させることを防止する。
【００２５】
以上の結果、請求項２に記載の発明によれば、枝管流入口を主インバート溝内の排水の流れ方向に対して逆流方向へ、すなわち、主インバート溝内の排水の流れ方向に対して下流側から上流側に向かって鋭角範囲を含む１８０°の範囲内に複数の枝管流入口を配置することが可能となり、それでいて、枝管からの流れを主インバート溝を流れる排水へスムーズに合流させることができる。
【００２６】
また、本発明によれば、排水ますの側壁に任意の水平方向へ向けて複数の枝管流入口を配置することができるため、枝管の数がある程度増えた場合であっても１つの排水ますで対応することが可能となる。さらに、主インバート溝は上部から見て排水ます側壁に隠れることがないので、排水ますの清掃や点検が極めて容易となる。
【００２７】
請求項３に係る発明では、請求項１又は２に記載の樹脂製排水ますの枝管流入口の少なくとも１つを、その取り付け角度が主インバート溝内の排水の流れ方向に対して下流側から上流側に向かって９０°若しくは鋭角となるように配置した。
【００２８】
この結果、請求項３に記載の発明によれば、従来は事実上デッドスペースとなっていた排水ます本体の下流側約半分の側壁を枝管流入口の設置場所として有効利用することが可能となり、１つの排水ますに接続可能な枝管の数を大幅に増やすことができる。
【００２９】
請求項４に係る発明では、請求項１又は２に記載の樹脂製排水ますの枝管流入口を排水ますの側壁から放射状に配置した。
【００３０】
この結果、請求項４に記載の発明によれば、枝管流入口に接続される複数の枝管同士を互いに平行に配置する必要がなくなり、各枝管を排水ますへ接続する際に、角度を変えるための継ぎ手の数を減らすことができる。
【００３１】
請求項５に係る発明では、請求項１又は２に記載の樹脂製排水ますの枝管流入口の少なくとも１つを、その取り付け角度が主インバート溝内の排水の流れ方向に対して平行となるように取り付けた。
【００３２】
この結果、請求項５に記載の発明によれば、本管流路と平行な枝管流路であっても継ぎ手を介さずに接続することが可能となるため、排水ますに直接接続できる枝管の許容範囲を拡大できる。
【００３３】
請求項６に係る発明では、請求項１又は２に記載の樹脂製排水ますの枝管流入口の少なくとも１つの外部接続端に角度調節可能な回転エルボをさらに取り付けた。
【００３４】
この結果、請求項６に記載の発明によれば、排水ます外部枝管の設置状況や排水ます内部の流水環境に応じて枝管流入口の角度調整を行えるようになる。
【００３５】
請求項７に係る発明では、請求項１又は２に記載の樹脂製排水ますの枝管流入口を枝管流入口設置可能な壁面に穴開け手段を用いて開口し、ナット締め付け型支管を後付けした。なお、円筒形の排水ます本体の側壁に穴を開ける手段としては公知のホールソーなどを使用することができ、また、ナット締め付け型支管としては特開平５−３３３８２号公報や特開２００１−５６０８３号公報に開示されているような合成樹脂製ナット締付け型支管などを使用することができる。
【００３６】
この結果、請求項７に記載の発明によれば、外部枝管の配置及び経路に関わらず、枝管と排水ますの接続位置に合わせて枝管流入口を排水ます側壁へ後付けすることができる。また、枝管流入口の取り付け位置は、本管流入口及び流出口より高い位置であって後述される副インバートより上方であれば、特に制限されることなく排水ます側壁の任意の位置へ後付けすることができるため、枝管との接続可能な許容範囲が大幅に向上される。
【００３７】
このため、本発明によれば、継ぎ手などの接続部品を大幅に減らすことが可能となり、また、排水ます布設工事の工期を大幅に短縮することができるようになる。
【００３８】
請求項８に係る発明では、請求項１に記載の樹脂製排水ますの第１の傾斜面をお椀形状又はすり鉢形状とした。
【００３９】
この結果、請求項８に記載の発明によれば、第２の緩斜面から流れ込んだ排水は、第１の傾斜面で流下してその平面的な流れの方向性を失った後、第１の傾斜面の形状に沿って再びその流れの方向が整えられ、主インバート溝内の排水の流れと略直角、あるいはそれ以下の緩やかな角度でスムーズに合流される。また、第１の傾斜面は流れ込んだ排水の速度を増加させるため、第１の傾斜面に付着した汚物を洗い流して異臭が発生することを防止する。
【００４０】
なお、上述されたような効果を最大限に発揮させるためには、第１の傾斜面は一定の勾配を有するすり鉢形状であるよりは、勾配の非常に大きな斜面と勾配がやや小さめの斜面とが連続的に繋がった全体的にも滑らかな曲面で構成されていることが好ましく、たとえば、お椀のような形状をしていることが好ましい。
【００４１】
請求項９に係る発明では、請求項１に記載の樹脂製排水ますの第２の傾斜面をすり鉢形状又はお椀形状とした。
【００４２】
この結果、請求項９に記載の発明によれば、枝管流入口から主インバート溝に合流するまでの流路長を十分に確保することが可能となるため、枝管流入口から流入した排水を副インバートの第２の傾斜面上で、排水ますの略中央部に配置された第１の傾斜面へ向けてその流れを効率よく集合化することができる。
【００４３】
なお、第２の傾斜面では、枝管流入口から流れ込む排水を効率よく集合化し、できるだけ液跳ねしないようの第１の傾斜面へ流下させなければならない。このため、第２の傾斜面は枝管流入口から流入した排水の速度を増加させるお椀形状であるよりは、速度をあまり増加させない一定の勾配を有するすり鉢のような形状をしていることが好ましい。
【００４４】
また、本発明に係る樹脂製排水ますにおいては、内部に主インバート溝を水平になるように配置するのが好ましい。その結果、原則、排水ますの使用に際して上流側と下流側の区別をする必要がなくなり、このため、発注などで排水ますの選択を誤った場合でも工事が中断してしまうおそれがなくなる。
【００４５】
また、さらに本発明に係る樹脂製排水ますにおいては、底部及び側壁を排水ますの中に左右対称面が形成されるように配置するのが好ましい。すなわち、本発明の樹脂製排水ますは、主インバート溝が排水ます中心部から側壁近傍へ偏心して配置され、これと連続するように副インバートが排水ますの側壁まで設けられている。このため、この主インバート溝を含む排水ます全体の左右対称面は、主インバート溝に対して直交する垂直断面にのみ存在し、この垂直断面に対して左右対称になるように枝管流入口を側壁に設けた。また、枝管流入口を後付けする場合は、枝管流入口を設置可能な壁面状態であっても前記垂直断面に対して左右対称な排水ますとなるため、この場合も本発明に含まれる。この結果、原則、排水ますの使用に際して上流側と下流側の区別をする必要がなくなり、このため、発注などで排水ますの選択を誤った場合でも工事が中断してしまうおそれがなくなる。
【発明の効果】
【００４６】
本発明によれば、主インバート溝を排水ますの側壁近傍へ配置し、これに合流する副インバートを勾配が異なる２つの傾斜面から構成したため、枝管流入口を主インバート溝内の排水の流れ方向に対して逆流方向へ、すなわち、主インバート溝内の排水の流れ方向に対して下流側から上流側に向かって鋭角範囲を含む１８０°の範囲内に複数の枝管流入口を配置することが可能となり、それでいて、枝管からの流れを本インバート溝を流れる排水へスムーズに合流させることができる。
【００４７】
また、本発明の他の一面によれば、排水ますの側壁に任意の水平方向へ向けて複数の枝管流入口を配置することができるため、枝管の数がある程度増えた場合であっても１つの排水ますで対応することが可能となる。さらに、主インバート溝は上部から見て排水ます側壁に隠れることがないので、排水ますの清掃や点検が極めて容易となる。
【００４８】
また、本発明の他の一面によれば、枝管流入口を、その取り付け角度が主インバート溝内の排水の流れ方向に対して下流側から上流側に向かって９０°若しくは鋭角となるように配置することができるため、従来は事実上デッドスペースとなっていた排水ます本体の下流側約半分の側壁を枝管流入口の設置場所として有効利用することが可能となり、１つの排水ますに接続可能な枝管の数を大幅に増やすことができる。
【００４９】
また、本発明によれば、枝管流入口を排水ますの側壁から放射状に配置することができるため、枝管流入口に接続される複数の枝管同士を互いに平行に配置する必要がなくなり、その結果、各枝管を排水ますへ接続する際に、角度を変えるための継ぎ手の数を減らすことができる。
【００５０】
また、本発明の他の一面によれば、枝管流入口は、その取り付け角度が主インバート溝内の排水の流れ方向に対して平行となるように取り付けることができるため、本管流路と平行な枝管流路であっても継ぎ手を介さずに接続することが可能となり、その結果、排水ますに直接接続できる枝管の許容範囲を拡大できる。
【００５１】
また、本発明の他の一面によれば、枝管流入口の外部接続端に角度調節可能な回転エルボをさらに取り付けることができるため、排水ます外部枝管の設置状況や排水ます内部の流水環境に応じて枝管流入口の角度調整を行うことが可能となる。
【００５２】
また、本発明の他の一面によれば、枝管流入口を枝管流入口設置可能な壁面に穴開け手段を用いて開口し、ナット締め付け型支管を後付けすることができるため、外部枝管の配置及び経路に関わらず、枝管と排水ますの接続位置に合わせて枝管流入口を排水ます側壁へ後付けすることができる。
【００５３】
さらに、枝管流入口の取り付け位置は、本管流入口及び流出口より高い位置であって副インバートより上方であれば、特に制限されることなく排水ます側壁の任意の位置へ後付けすることができるため、枝管との接続可能な許容範囲が大幅に向上される。このため、本発明によれば、継ぎ手などの接続部品を大幅に減らすことが可能となり、また、排水ます布設工事の工期を大幅に短縮することができるようになる。
【００５４】
また、本発明の他の一面によれば、排水ます内部に主インバート溝を水平になるように配置したり、側壁上の枝管流入口を主インバート溝に対して直交する排水ますの中心を含む垂直断面に対して左右対称になるように配置することができるため、原則、排水ますの使用に際して上流側と下流側の区別をする必要がなくなり、発注などで排水ますの選択を誤った場合でも工事が中断してしまうおそれがなくなる。
【発明を実施するための最良の形態】
【００５５】
以下、本発明の一実施形態に係る樹脂製排水ますについて、図面を参照しながら詳細に説明する。なお、本発明は、以下に示される実施例に限定されるものではなく、本発明の技術的思想を逸脱しない範囲内で各種の変更が可能である。
【実施例１】
【００５６】
実施例１は、４つの枝管流入口が放射状に配置された本発明による樹脂製排水ますの例示であって、図１には上から見た場合の平面図が示され、図２にはその側面図が示されている。また、図３には、図１中のＡ−Ａ断面で切り取った実施例１の樹脂製排水ますの断面図が示されている。
【００５７】
図１から図３を参照して説明すると、実施例１の樹脂製排水ます１ａは、主インバート溝４と副インバート５からなる底部２と、底部２から略垂直に立ち上がった側壁３とから構成される。
【００５８】
主インバート溝４は、その両端に本管流路と接続される本管流入口７及び流出口８が設けられており、この本管流入口７と流出口８を同じ高さとなるように配置することで、換言すれば、主インバート溝４を水平となるように配置することで、原則として本管流路の上流側及び下流側の区別がない上下流兼用タイプの排水ます１ａを提供することができる。
【００５９】
また、副インバート５の上方にある壁面３４には、４つの枝管流入口６ａが副インバートと連通するように放射状に配置されており、その内の２つの枝管流入口６ａは、その取り付け角度が主インバート溝４内の排水の流れ方向４０に対して下流側から上流側に向かって鋭角範囲内に配置されている。
【００６０】
このため、本実施例による排水ます１ａは、従来は事実上デッドスペースとなっていた排水ます本体１０ａの下流側約半分の側壁３を枝管流入口６ａの設置場所として有効利用することが可能となり、１つの排水ますに接続可能な枝管の数を大幅に増やすことができる。
【００６１】
さらに、本実施例によれば、枝管流入口６ａに接続される複数の枝管同士を互いに平行に配置する必要がないので、各枝管を排水ます１ａへ接続する際に、角度を変えるための継ぎ手の数を減らすことができる。
【００６２】
また、各枝管流入口６ａは、主インバート溝４に対して直交する排水ます１ａの中心を含む垂直断面に対して左右対称になるように配置されているため、原則として排水ますの使用に際して上流側と下流側の区別をする必要がなくなり、発注などで排水ますの選択を誤った場合でも工事が中断してしまうおそれがなくなる。
【００６３】
主インバート溝４は側壁３に近接して配置されており、このため、副インバート５から流れ込んだ排水が主インバート溝４との合流点を越えて排水ます本体１０ａの反対側の側壁３３へ乗り上げることが殆どない。また、主インバート溝４は上部から見て排水ます側壁３に隠れることがないので、排水ます１ａの清掃や点検を極めて容易に行うことができる。
【００６４】
副インバート５は、主インバート溝４の一部から連続して立ち上がった第１の傾斜面（または急斜面）５０と、第１の傾斜面５０から枝管流入口６ａへ向けて連続した第１の傾斜面より小さな傾斜角を有する第２の傾斜面（または緩斜面）５１とを含む。
【００６５】
第２の傾斜面５１は、各枝管流入口６ａから流入した排水の速度をあまり増加させない一定の勾配を有するすり鉢のような形状（図３参照）となっているため、枝管流入口６ａから流入した排水を副インバート５の第２の傾斜面５１上で、排水ますの略中央部に配置された第１の傾斜面５０へ向けてその流れを効率よく集合化することができる。ただし、第２の傾斜面５１は、各枝管流入口６ａから共通した勾配をもった傾斜面で構成されていれば、その形状は特に限定されるものではなく、例えば、お椀のような形状をしているものであってもよい。
【００６６】
これに対し、第１の傾斜面５０はお椀のような形状（図３参照）となっており、第２の傾斜面５１とはより大きな傾斜角を設けて接続されているため、第２の傾斜面５１から流れ込んだ排水は、第１の傾斜面５０で流下してその平面的な流れの方向性を失った後、第１の傾斜面５０の形状に沿って再びその流れの方向が整えられ、主インバート溝４内の排水の流れと略直角、あるいはそれ以下の緩やかな角度でスムーズに合流される。
【００６７】
また、第１の傾斜面５０は、適度な急勾配をもって第２の傾斜面５１から流れ込んだ排水の速度を増加させるように形成されているため、第２の傾斜面５１から流れ込んだ排水が側壁３３から跳ね返って第１の傾斜面５０上に乗り上げたりすることは殆どなく、たとえ排水が跳ね返って第１の傾斜面に乗り上げたとしても、第１の傾斜面５０に付着した汚物を洗い流して異臭が発生することを防止する。
【００６８】
なお、第１の傾斜面５０は、第２の傾斜面５１より大きな傾斜角を設けて接続されていれば、その形状は特に限定されるものではなく、例えば、すり鉢のような形状をしているものであってもよい。
【００６９】
このように、本実施例によれば、枝管流入口６ａから流入した排水がどのような方向から流入した場合であっても、排水は第１及び第２の傾斜面５０、５１に沿って集合化及び整流されながら流れるため、不規則な流れや急激な流れを生じることにより、乱流を起こしたり飛散したりすることがない。また、第１の傾斜面５０では、排水のスムーズな流れを維持しながら、枝管流入口６ａから流れ込む排水を主インバート溝４内の排水と合流する前に集合させて整流化しているため、主インバート溝４内の排水と合流する際にその流れを阻害することが殆どない。
【００７０】
以上の結果、本実施例によれば、枝管流入口６ａを主インバート溝４内の排水の流れ方向４０に対して逆流方向へ、すなわち、主インバート溝４内の排水の流れ方向４０に対して下流側から上流側に向かって鋭角範囲を含む１８０°の範囲内に複数の枝管流入口６ａを配置することが可能となり、それでいて、枝管からの流れを主インバート溝４を流れる排水へスムーズに合流させることができる。
【実施例２】
【００７１】
実施例２は先述された実施例１の樹脂製排水ますの変形であって、３つの枝管流入口が放射状に配置された本発明による樹脂製排水ますの例示である。したがって、実施例２の排水ますは、枝管流入口の数や配置が実施例１の排水ますとは異なる以外、排水ますの側壁や主インバート溝や副インバートを含む底部など、その基本的構造は実施例１の排水ますと同じである。
【００７２】
図４には、３つの枝管流入口６ｂが放射状に配置された本発明による実施例２の樹脂製排水ます１ｂを上から見た場合の平面図が示されている。また、その中央部の断面構造は、枝管流入口６ｂの数や配置が異なること以外、図３に示されているものと同じである。
【００７３】
図４及び図３を参照して説明すると、実施例２の樹脂製排水ます１ｂは、実施例１ａの排水ますと同様に、主インバート溝４と副インバート５からなる底部２と、底部２から略垂直に立ち上がった側壁３とから構成される。
【００７４】
主インバート溝４は、その両端に本管流路と接続される本管流入口７及び流出口８が設けられており、この本管流入口７と流出口８を同じ高さとなるように配置することで、換言すれば、主インバート溝４を水平となるように配置することで、原則として本管流路の上流側及び下流側の区別がない上下流兼用タイプの排水ます１ｂを提供することができる。
【００７５】
また、副インバート５の上方にある壁面３４には、３つの枝管流入口６ｂが副インバートと連通するように放射状に配置されており、その内の２つの枝管流入口６ｂは、その取り付け角度が主インバート溝４内の排水の流れ方向４０に対して下流側から上流側に向かって９０°及び鋭角範囲内に配置されている。
【００７６】
このため、本実施例による排水ます１ｂは、従来は事実上デッドスペースとなっていた排水ます本体１０ｂの下流側約半分の側壁３を枝管流入口６ｂの設置場所として有効利用することが可能となり、１つの排水ますに接続可能な枝管の数を大幅に増やすことができる。
【００７７】
さらに、本実施例によれば、枝管流入口６ｂに接続される複数の枝管同士を互いに平行に配置する必要がないので、各枝管を排水ます１ｂへ接続する際に、角度を変えるための継ぎ手の数を減らすことができる。
【００７８】
また、各枝管流入口６ｂは、主インバート溝４に対して直交する排水ます１ｂの中心を含む垂直断面に対して左右対称になるように配置されているため、原則として排水ますの使用に際して上流側と下流側の区別をする必要がなくなり、発注などで排水ますの選択を誤った場合でも工事が中断してしまうおそれがなくなる。
【００７９】
主インバート溝４は側壁３に近接して配置されており、このため、副インバート５から流れ込んだ排水が主インバート溝４との合流点を越えて排水ます本体１０ｂの反対側の側壁３３へ乗り上げることが殆どない。また、主インバート溝４は上部から見て排水ます側壁３に隠れることがないので、排水ます１ｂの清掃や点検を極めて容易に行うことができる。
【００８０】
副インバート５は、主インバート溝４の一部から連続して立ち上がった第１の傾斜面（または急斜面）５０と、第１の傾斜面５０から枝管流入口６ｂへ向けて連続した第１の傾斜面より小さな傾斜角を有する第２の傾斜面（または緩斜面）５１とを含む。
【００８１】
第２の傾斜面５１は、各枝管流入口６ｂから流入した排水の速度をあまり増加させない一定の勾配を有するすり鉢のような形状（図３参照）となっているため、枝管流入口６ｂから流入した排水を副インバート５の第２の傾斜面５１上で、排水ますの略中央部に配置された第１の傾斜面５０へ向けてその流れを効率よく集合化することができる。ただし、第２の傾斜面５１は、各枝管流入口６ｂから共通した勾配をもった傾斜面で構成されていれば、その形状は特に限定されるものではなく、例えば、お椀のような形状をしているものであってもよい。
【００８２】
これに対し、第１の傾斜面５０はお椀のような形状（図３参照）となっており、第２の傾斜面５１とはより大きな傾斜角を設けて接続されているため、第２の傾斜面５１から流れ込んだ排水は、第１の傾斜面５０で流下してその平面的な流れの方向性を失った後、第１の傾斜面５０の形状に沿って再びその流れの方向が整えられ、主インバート溝４内の排水の流れと略直角、あるいはそれ以下の緩やかな角度でスムーズに合流される。
【００８３】
また、第１の傾斜面５０は、適度な急勾配をもって第２の傾斜面５１から流れ込んだ排水の速度を増加させるように形成されているため、第２の傾斜面５１から流れ込んだ排水が側壁３３から跳ね返って第１の傾斜面５０上に乗り上げたりすることは殆どなく、たとえ排水が跳ね返って第１の傾斜面に乗り上げたとしても、第１の傾斜面５０に付着した汚物を洗い流して異臭が発生することを防止する。
【００８４】
なお、第１の傾斜面５０は、第２の傾斜面５１より大きな傾斜角を設けて接続されていれば、その形状は特に限定されるものではなく、例えば、すり鉢のような形状をしているものであってもよい。
【００８５】
このように、本実施例によれば、枝管流入口６ｂから流入した排水がどのような方向から流入した場合であっても、排水は第１及び第２の傾斜面５０、５１に沿って集合化及び整流されながら流れるため、不規則な流れや急激な流れを生じることにより、乱流を起こしたり飛散したりすることがない。また、第１の傾斜面５０では、排水のスムーズな流れを維持しながら、枝管流入口６ｂから流れ込む排水を主インバート溝４内の排水と合流する前に集合させて整流化しているため、主インバート溝４内の排水と合流する際にその流れを阻害することが殆どない。
【００８６】
以上の結果、本実施例によれば、枝管流入口６ｂを主インバート溝４内の排水の流れ方向４０に対して逆流方向へ、すなわち、主インバート溝４内の排水の流れ方向４０に対して下流側から上流側に向かって鋭角範囲を含む１８０°の範囲内に複数の枝管流入口６ｂを配置することが可能となり、それでいて、枝管からの流れを主インバート溝４を流れる排水へスムーズに合流させることができる。
【実施例３】
【００８７】
実施例３は先述された実施例１の樹脂製排水ますの他の変形であって、４つの枝管流入口の内、２つの枝管流入口が主インバート溝内の排水の流れ方向に対して平行に配置された本発明による樹脂製排水ますの例示である。したがって、実施例３の排水ますは、枝管流入口の配置が実施例１の排水ますとは異なる以外、排水ますの側壁や主インバート溝や副インバートを含む底部など、その基本的構造は実施例１の排水ますと同じである。
【００８８】
図５には、４つの枝管流入口６ｃの内、２つの枝管流入口６ｃが主インバート溝内の排水の流れ方向４０に対して平行に配置された本発明による実施例３の樹脂製排水ます１ｃを上から見た場合の平面図が示されている。また、その中央部の断面構造は、枝管流入口６ｃの配置が異なること以外、図３に示されているものと同じである。
【００８９】
図５及び図３を参照して説明すると、実施例３の樹脂製排水ます１ｃは、実施例１ａの排水ますと同様に、主インバート溝４と副インバート５からなる底部２と、底部２から略垂直に立ち上がった側壁３とから構成される。
【００９０】
主インバート溝４は、その両端に本管流路と接続される本管流入口７及び流出口８が設けられており、この本管流入口７と流出口８を同じ高さとなるように配置することで、換言すれば、主インバート溝４を水平となるように配置することで、原則として本管流路の上流側及び下流側の区別がない上下流兼用タイプの排水ます１ｃを提供することができる。
【００９１】
また、副インバート５の上方にある壁面３４には、４つの枝管流入口６ｂが副インバートと連通するように外側へ延びるように配置されており、その内の２つの枝管流入口６ｂは、主インバート溝４内の排水の流れ方向４０に対して平行に配置されている。
【００９２】
このため、本実施例による排水ます１ｃは、本管流路と平行な枝管流路であっても継ぎ手を介さずに直接接続することができるため、排水ます１ｃに直接接続できる枝管の許容範囲が拡大される。
【００９３】
また、本実施例による排水ます１ｃは、従来は事実上デッドスペースとなっていた排水ます本体１０ｃの下流側約半分の側壁３を枝管流入口６ｃの設置場所として有効利用することが可能となり、１つの排水ますに接続可能な枝管の数を大幅に増やすことができる。
【００９４】
さらに、各枝管流入口６ｃは、主インバート溝４に対して直交する排水ます１ｃの中心を含む垂直断面に対して左右対称になるように配置されているため、原則として排水ますの使用に際して上流側と下流側の区別をする必要がなくなり、発注などで排水ますの選択を誤った場合でも工事が中断してしまうおそれがなくなる。
【００９５】
主インバート溝４は側壁３に近接して配置されており、このため、副インバート５から流れ込んだ排水が主インバート溝４との合流点を越えて排水ます本体１０ｃの反対側の側壁３３へ乗り上げることが殆どない。また、主インバート溝４は上部から見て排水ます側壁３に隠れることがないので、排水ます１ｃの清掃や点検を極めて容易に行うことができる。
【００９６】
副インバート５は、主インバート溝４の一部から連続して立ち上がった第１の傾斜面（または急斜面）５０と、第１の傾斜面５０から枝管流入口６ｂへ向けて連続した第１の傾斜面より小さな傾斜角を有する第２の傾斜面（または緩斜面）５１とを含む。
【００９７】
第２の傾斜面５１は、各枝管流入口６ｃから流入した排水の速度をあまり増加させない一定の勾配を有するすり鉢のような形状（図３参照）となっているため、枝管流入口６ｃから流入した排水を副インバート５の第２の傾斜面５１上で、排水ますの略中央部に配置された第１の傾斜面５０へ向けてその流れを効率よく集合化することができる。ただし、第２の傾斜面５１は、各枝管流入口６ｃから共通した勾配をもった傾斜面で構成されていれば、その形状は特に限定されるものではなく、例えば、お椀のような形状をしているものであってもよい。
【００９８】
これに対し、第１の傾斜面５０はお椀のような形状（図３参照）となっており、第２の傾斜面５１とはより大きな傾斜角を設けて接続されているため、第２の傾斜面５１から流れ込んだ排水は、第１の傾斜面５０で流下してその平面的な流れの方向性を失った後、第１の傾斜面５０の形状に沿って再びその流れの方向が整えられ、主インバート溝４内の排水の流れと略直角、あるいはそれ以下の緩やかな角度でスムーズに合流される。
【００９９】
また、第１の傾斜面５０は、適度な急勾配をもって第２の傾斜面５１から流れ込んだ排水の速度を増加させるように形成されているため、第２の傾斜面５１から流れ込んだ排水が側壁３３から跳ね返って第１の傾斜面５０上に乗り上げたりすることは殆どなく、たとえ排水が跳ね返って第１の傾斜面に乗り上げたとしても、第１の傾斜面５０に付着した汚物を洗い流して異臭が発生することを防止する。
【０１００】
なお、第１の傾斜面５０は、第２の傾斜面５１より大きな傾斜角を設けて接続されていれば、その形状は特に限定されるものではなく、例えば、すり鉢のような形状をしているものであってもよい。
【０１０１】
このように、本実施例によれば、枝管流入口６ｃから流入した排水がどのような方向から流入した場合であっても、排水は第１及び第２の傾斜面５０、５１に沿って集合化及び整流されながら流れるため、不規則な流れや急激な流れを生じることにより、乱流を起こしたり飛散したりすることがない。また、第１の傾斜面５０では、排水のスムーズな流れを維持しながら、枝管流入口６ｃから流れ込む排水を主インバート溝４内の排水と合流する前に集合させて整流化しているため、主インバート溝４内の排水と合流する際にその流れを阻害することが殆どない。
【０１０２】
以上の結果、本実施例によれば、枝管流入口６ｃを主インバート溝４内の排水の流れ方向４０に対して逆流方向へ、すなわち、主インバート溝４内の排水の流れ方向４０に対して下流側から上流側に向かって鋭角範囲を含む１８０°の範囲内に複数の枝管流入口６ｃを配置することが可能となり、それでいて、枝管からの流れを主インバート溝４を流れる排水へスムーズに合流させることができる。
【実施例４】
【０１０３】
実施例４は上述された実施例１〜３の樹脂製排水ますへ適用可能なさらなる変形であって、枝管流入口の外部接続端に角度調節可能な回転エルボが取り付けられた本発明による樹脂製排水ますの例示である。したがって、実施例４の排水ますは、枝管流入口の外部接続端の全部又は一部に角度調節可能な回転エルボが取り付けられている以外、実施例１〜３の排水ます排水ますと同じ構造を有する。
【０１０４】
図６には、枝管流入口６ｄの外部接続端に角度調節可能な回転エルボ９が取り付けられた本発明による実施例４の樹脂製排水ます１ｄを上から見た場合の部分的平面図が示されている。
【０１０５】
図６を参照して理解されるように、枝管流入口６ｄの外部接続部６０には管路の一部が屈曲した回転エルボ９のソケット９０が取り付けられており、これを１８０°回転させると図６（ａ）から図６（ｂ）に示されるように、その受口９１の向きが方向変換される。また、回転エルボ９のソケット９０を図６（ａ）から１８０°でない任意の角度へ回転させる場合は、その受口９１は水平方向及び垂直方向へ勾配をもって方向転換される。
【０１０６】
また、この回転エルボ９は、実施例１〜３の樹脂製排水ますの枝管流入口とシールして回転自在になるように枝管流入口の外部接続端を加工すれば、どの位置にある枝管流入口にも取り付けることができ、また、複数の枝管流入口のそれぞれへ取り付けることもできる。
【０１０７】
この結果、本実施例によれば、排水ます外部枝管の設置状況や排水ます内部の流水環境に応じて枝管流入口６ｄの角度調整を自由に行えるようになる。
【０１０８】
図７には、実施例４の枝管流入口６ｄの外部接続端６０に取り付けられた回転エルボ９を、管軸を含む中心断面で切り取った場合の要部拡大断面図が示されている。
【０１０９】
図７を参照して説明すると、本実施例の回転エルボ９は、枝管流入口６ｄの外部接続部６０と回転エルボ９のソケット９０とから構成される。
【０１１０】
外部接続部６０は、副インバートと連通するように排水ますの上部壁面３４から外側へ延びた略ストレートな管体の形状を有している。外部接続部６０の外周面には、高さ及び幅の異なる２つのリング状に突出した凸部６１、６２と、１つのリング状に溝が掘られた凹部６３が形成されており、凸部６１はソケット９０のストッパーとして機能し、凸部６２は摺動ガイドとして機能する。また、凹部６３は、ソケット９０との間をシールするためのＯリングやリップルを嵌め込み固定するために機能する。
【０１１１】
ソケット９０は、外部接続部６０の外周面と嵌合する摺動受口９２と外部枝管と接続するための受口９１、および前記２つの受口９１、９２を連結する管路の一部が屈曲したエルボ９３を含む。摺動受口９２の内周面には、外部接続部６０の凸部６２と回転自在に嵌合するリング状に溝が掘られた凹部９４が形成されている。
【０１１２】
ソケット９０は、外部接続部６０と摺動受口９２の接続部を中心にしてその周りを自在に回転することができ、たとえば、ソケット９０を１８０°回転させることにより、図７の中に示される実線部から点線部へ受口９１の向きを方向変換することができる。また、回転エルボ９のソケット９０を任意の角度へ回転させる場合は、受口９１は水平方向及び垂直方向へ勾配をもって方向転換することもできる。
【０１１３】
このように、本実施例で使用される回転エルボ９は、排水ます外部枝管の設置状況や排水ます内部の流水環境に応じて枝管流入口６ｄの角度調整を自由に行えるものであれば、一般的な構造を有する汎用の回転エルボであっても適用することができる。また、回転エルボ９の接続構造は、外部接続部を回転エルボのソケット側に設け、摺動受口を枝管流入口の外部接続端側に設けた構造であってもよい。
【実施例５】
【０１１４】
実施例５は先述された実施例１〜３の樹脂製排水ますの変形であって、樹脂製排水ますの側壁に枝管流入口を後付け可能な壁面を設けておき、これに枝管との接続位置に合わせて穴開け手段を用いて開口し、その開口部にナット締め付け型支管を取り付けるタイプの本発明による樹脂製排水ますの例示である。したがって、実施例５の排水ますは、側壁構造が他の実施例の排水ますとは異なる以外、その基本的構造は実施例１〜３の排水ますと同じである。
【０１１５】
図８に示されるのは、枝管流入口を取り付ける前の側壁３に開口部が形成されていない状態の本発明による実施例５の樹脂製排水ます１ｅであって、主インバート溝（図示せず）が配置されている側とは反対側の側面、すなわち、後から枝管流入口が取り付けられる側から見た排水ますの側面図である。
【０１１６】
図８を参照して理解されるとおり、主インバート溝へ近接して配置されている側の反対側の側壁には、開口部を有さない枝管流入口設置可能な壁面３４が形成されている。したがって、この状態での排水ます１ｅは、実施例１〜３の排水ますと同様の主インバート溝と副インバートからなる底部２と、その上に連続して形成される略円筒の形状を有する側壁３とから構成されており、側壁３に枝管流入口が形成されていないことを除き、基本的に実施例１〜３の排水ますと同じ構造を有している。
【０１１７】
図９に示されるのは、後述されるナット締め付け型支管を取り付けるための開口部３５が、壁面３４に放射上に４つ形成されている状態の実施例５の樹脂製排水ます１ｅの側面図である。
【０１１８】
図９を参照して理解されるとおり、壁面３４は、本管流入口７及び流出口８の略中心高さより高い位置であって副インバート５より上方に形成されているため、開口部３５を主インバート溝４内の排水の流れ方向に対して下流側から上流側に向かって１８０°の範囲に形成された壁面３４上に設けることにより、開口位置やその数にかかわらず副インバート５と容易に連通する。
【０１１９】
なお、開口部３５は、ホールソーなどの一般的な穴開け手段を用いて開口することができ、その位置決め及び穴開け加工は、あらかじめ工場内で壁面３４の所望の位置に実施してもよく、あるいは施工現場において枝管との接続位置に合わせて実施してもよい。
【０１２０】
図１０に示されるのは、先述された壁面３４に設けられた４つの開口部３５のそれぞれにナット締め付け型支管３６が取り付けられた状態の実施例５の樹脂製排水ます１ｅの側面図である。
【０１２１】
図１０を参照して理解されるとおり、壁面３４上には、枝管流入口６ｅを形成するナット締め付け型支管３６が後付けされており、本実施例の場合は、図１に示された実施例１の排水ます１ａのような放射状に配置された枝管流入口６ｅを有する。
【０１２２】
この結果、本実施例によれば、ナット締め付け型支管３６の取り付け位置は、本管流入口７及び流出口８より高い位置であって副インバート５より上方であれば、特に制限されることなく排水ますの壁面３４の任意の位置へ後付けすることができるため、枝管との接続可能な許容範囲が大幅に向上する。また、本実施例によれば、継ぎ手などの接続部品を大幅に減らすことが可能となり、排水ます布設工事の工期を大幅に短縮することができるようになる。
【０１２３】
また、本実施例によれば、排水ます１ｅは据え付け当初、側壁３に枝管流入口６ｅが設置されておらず、内部の主インバート溝４も水平になるように配置されているため、原則として排水ますの使用に際して上流側と下流側の区別をする必要がなくなり、発注などで排水ますの選択を誤った場合でも工事が中断してしまうおそれがなくなる。
【０１２４】
図１１に示されるのは、本実施例に用いられるナット締め付け型支管３６を排水ますの壁面３４に取り付ける場合及び取り付けた状態での要部を拡大した断面図である。
【０１２５】
ナット締め付け型支管３６は、特開平５−３３３８２号公報や特開２００１−５６０８３号公報に開示されているような合成樹脂性ナット締め付け型支管を使用することができ、これと同じ機能を有するものであれば、他のタイプのナット締め付け型支管を使用することができる。
【０１２６】
図１１を参照すると、ナット締め付け型支管３６は、合成樹脂製、たとえば塩化ビニール射出成形した成形品からできており、その基本構造は、支管本体３６０と、キ−溝に嵌め込まれているパッキン３６１を含み前記支管本体３６０上にスライド自在に嵌め合わされるスペ−サ３６２と、支管本体３６０上に刻まれた雄ネジ３６３と回転して嵌まり合うナット３６４とから構成されている。また、支管本体３６０とスペ−サ３６２との間はＯリング３６５を介在させてシ−ルできるようになっている。
【０１２７】
この支管本体３６０の一端には、垂直面に対して投影的に見ると、高さ方向が長径で水平方向が短径である楕円状で外向きに拡がったフランジ３６６が支管本体３６０の管軸に対して直交するように一体成形されており、かつ、壁面３４と接するフランジ３６６の外向きの面は、壁面３４の内部壁面と密接するように弯曲している。
【０１２８】
また、ナット締め付け型支管３６を取付けるために、ホールソーなどを用いて壁面３４に開けられる円形の開口部３５は、前記フランジ３６６の長径よりも小さく、そして前記フランジ３６６の短径よりも若干大きな口径となるように開口される。
【０１２９】
そして、このフランジ３６６を開口部３５を通過させて壁面３４の内部へ挿入するため、フランジ３６６の内面近傍には開口部３５と接合するための段差部３６７と、これに隣接した凹部３６８が支管本体３６０の外周面に設けられている。
【０１３０】
さらに、この支管本体３６０には、フランジ３６６が楕円状に一体成形された端部側の反対側に、外部枝管を接着接合するための規格化された寸法を有する受口３６９が形成されており、この受口３６９の外周部には、上述された雄ネジ３６３が刻まれている。
【０１３１】
したがって、ナット締め付け型支管３６を壁面３４に設けた開口部３５へ取り付けるためには、まず、フランジ３６６を開口部３５に対して傾けて壁面３４の内部へ通過させた後、凹部３６８を前記開口部３５の口縁に載せるようにして仮設置する（図１１ａ参照）。
【０１３２】
続いて、この支管本体３６０を壁面３４の外部へ若干引き抜き、開口部３５の口縁に段差部３６７を当接させると共に、壁面３４と接するフランジ３６６の外向きの面を壁面３４の内部壁面に密接させ、ナット３６４を締め付けることによりパッキン３６１付きスペ−サ３６２を前進させて、これを壁面３４に密接させる（図１１ｂ参照）。
【０１３３】
この結果、ナット締め付け型支管３６は、フランジ３６６とスペ−サ３６２とが開口部３５の周りの壁面３４を内側及び外側から挟み込むことにより、壁面３４の所望の位置に固定される。
【図面の簡単な説明】
【０１３４】
【図１】４つの枝管流入口が放射状に配置された本発明による実施例１の排水ますの平面図である。
【図２】図１に示された実施例１の排水ますの側面図である。
【図３】図１のＡ−Ａ断面で切り取った実施例１の排水ますの断面図である。
【図４】３つの枝管流入口が放射状に配置された本発明による実施例２の排水ますの平面図である。
【図５】一部の枝管流入口が主インバート溝に対して平行に配置された本発明による実施例３の排水ますの平面図である。
【図６】枝管流入口に回転エルボが取り付けられた本発明による実施例４の排水ますの部分平面図である。
【図７】回転エルボを管軸を含む中心断面で切り取った実施例４の排水ますの要部拡大断面図である。
【図８】枝管流入口を後付けするタイプの本発明による実施例５の排水ますの側面図である。
【図９】ナット締め付け型支管を取り付けるための開口部３５が壁面に形成された実施例５の排水ますの側面図である。
【図１０】ナット締め付け型支管が壁面に取り付けられた実施例５の排水ますの側面図である。
【図１１】ナット締め付け型支管を壁面３４に取り付ける方法を示した実施例５の排水ますの要部拡大断面図である。
【符号の説明】
【０１３５】
１ａ、１ｂ、１ｃ、１ｄ、１ｅ  ・・・樹脂製排水ます
２  ・・・・・・・・・・・・・・・・底部
３  ・・・・・・・・・・・・・・・・側壁
４  ・・・・・・・・・・・・・・・・主インバート溝
５  ・・・・・・・・・・・・・・・・副インバート
６ａ、６ｂ、６ｃ、６ｄ、６ｅ  ・・・枝管流入口
７  ・・・・・・・・・・・・・・・・本管流入口
８  ・・・・・・・・・・・・・・・・本管流出口
９  ・・・・・・・・・・・・・・・・回転エルボ
１０ａ、１０ｂ、１０ｃ  ・・・・・・排水ます本体
３４・・・・・・・・・・・・・・・・枝管流入口設置可能な壁面
３５・・・・・・・・・・・・・・・・開口部
３６  ・・・・・・・・・・・・・・・ナット締め付け型支管
５０  ・・・・・・・・・・・・・・・第１の傾斜面（急斜面）
５１  ・・・・・・・・・・・・・・・第２の傾斜面（緩斜面）
【図１】
0004537965.tif 000002
【図２】
0004537965.tif 000003
【図３】
0004537965.tif 000004
【図４】
0004537965.tif 000005
【図５】
0004537965.tif 000006
【図６】
0004537965.tif 000007
【図７】
0004537965.tif 000008
【図８】
0004537965.tif 000009
【図９】
0004537965.tif 000010
【図１０】
0004537965.tif 000011
【図１１】
0004537965.tif 000012